【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】遊技機の制御装置
【手続補正２】
【補正対象書類名】明細書
【補正対象項目名】特許請求の範囲
【補正方法】変更
【補正の内容】
【特許請求の範囲】
【請求項１】  複数の電子部品が機能別に分類され、それぞれの機能に対して、各電子部品を制御する複数の制御部と、
当該複数の制御部とは分離され、それぞれの制御部へ所定の電圧の電源を供給する電源モジュールと、で構成される遊技機の制御装置であって、
入賞球の払出残数を記憶する揮発性のメモリと、
入賞口に入賞したことを検出する入賞球検出手段と、
予め定められた前記入賞口毎の払出し数に基づいて前記入賞球検出手段による入賞球の検出毎に、当該払出し数を前記メモリに記憶した払出残数に加算する加算手段と、
前記払出機構によって払い出された球を検出する払出済球検出手段と、
前記払出済検出手段で払出球を検出する毎に、払い出された球数を前記メモリに記憶された払出残数から減算する減算手段と、
を有し、
停電等の電源断時に、前記メモリに記憶された少なくとも払出残数を、前記電源の復帰まで記憶能力を保持可能なバックアップ電源を供給するバックアップ手段を具備したことを特徴とする遊技機の制御装置。
【請求項２】  複数の電子部品が機能別に分類され、それぞれの機能に対して、各電子部品を制御する複数の制御部と、
当該複数の制御部とは分離され、それぞれの制御部へ所定の電圧の電源を供給する電源モジュールと、で構成される遊技機の制御装置であって、
前記機能が、球の入賞口への入賞によって所定数の球を払い出す払出機構を備え、当該払出機構を制御する払出制御部は、
入賞球の払出残数を記憶する揮発性のメモリと、
入賞口に入賞したことを検出する入賞球検出手段と、
予め定められた前記入賞口毎の払出し数に基づいて前記入賞球検出手段による入賞球の検出毎に、当該払出し数を前記メモリに記憶した払出残数に加算する加算手段と、
前記払出機構によって払い出された球を検出する払出済球検出手段と、
前記払出済検出手段で払出球を検出する毎に、払い出された球数を前記メモリに記憶された払出残数から減算する減算手段と、
を有し、
停電等の電源断時に、前記メモリに記憶された少なくとも払出残数を、前記電源の復帰まで記憶能力を保持可能なバックアップ電源を供給するバックアップ手段を具備したことを特徴とする遊技機の制御装置。
【請求項３】  前記電源断後をほぼ通常電圧の状態で検出可能な電源断検出回路をさらに備え、この電源断検出回路による電源断検出時から前記払出制御部の動作が不能となるまでの間に、予め定められた電源断処理を実行する、ことを特徴とする請求項１又は請求項２記載の遊技機の制御装置。
【請求項４】  励磁の有無によって伸縮するロッドを備えたソレノイドと、
前記ソレノイドのロッドに取り付けられ、非励磁状態で球の払出通路を閉鎖する位置に配置され、励磁状態で前記払出通路を開放する位置に移動するストッパ部材と、で構成されている前記払出機構を含んでなることを特徴とする請求項１乃至請求項３の何れか１項記載の遊技機の制御装置。
【請求項５】  前記バックアップ手段が、通電中に電力を蓄積する蓄積手段で構成され、前記停電時に前記蓄積手段に蓄積された電力が放電され、バックアップ電源として適用される、ことを特徴とする請求項１乃至請求項４の何れか１項記載の遊技機の制御装置。
【請求項６】  前記蓄積手段による電力の放電量を規定する規定手段を備えたことを特徴とする請求項５記載の遊技機の制御装置。
【請求項７】  前記規定手段が放電抵抗である請求項６記載の遊技機の制御装置。
【請求項８】  前記バックアップ手段が前記停電発生後の停電時間を計数する停電時間計数手段と、前記停電時間計数手段で停電発生から所定時間経過したことを認識した場合に、前記バックアップ電源の供給を停止するバックアップ電源供給停止手段と、を更に有する請求項１乃至請求項７の何れか１項記載の遊技機の制御装置。
【手続補正３】
【補正対象書類名】明細書
【補正対象項目名】０００３
【補正方法】変更
【補正の内容】
【０００３】
一般に、パチンコ機には、電源モジュール（基板構成）が備えられ、各電子制御機器に対応した電圧（５Ｖ、１２V等）を電源電圧として供給している。具体的には、電源モジュールから、中継基板を介して、主基板、払出制御基板、図柄表示基板、音声制御基板、ランプ制御基板等に必要な電源を供給している。なお、発射制御基板へは払出制御基板を経由して電源が供給されている。
【手続補正４】
【補正対象書類名】明細書
【補正対象項目名】０００８
【補正方法】変更
【補正の内容】
【０００８】
本発明は上記事実を考慮し、停電等予期せぬ電源断が発生し、電子制御機器に正規の電源電圧が供給されない間（停電中）において、電源復帰時に停電復帰前の状態に戻すことができる必要最小限の記憶能力を継続維持し、少ない消費電力で遊技者に不利益がこうむることを防止することができる遊技機の制御装置を得ることが目的である。
【手続補正５】
【補正対象書類名】明細書
【補正対象項目名】０００９
【補正方法】変更
【補正の内容】
【０００９】
また、上記目的に加えて、バックアップ電源の電源断時からの所定時間算出時間及びバックアップ電源からの電源供給の強制解除により、電源復旧時に、電源装置に接続された外部機器が誤作動を起こす可能性を未然に防ぐことのできる遊技機の制御装置の提供を目的とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項４に記載の発明は、前記請求項１乃至請求項３の何れか１項記載の発明において、励磁の有無によって伸縮するロッドを備えたソレノイドと、前記ソレノイドのロッドに取り付けられ、非励磁状態で球の払出通路を閉鎖する位置に配置され、励磁状態で前記払出通路を開放する位置に移動するストッパ部材と、で構成されている前記払出機構を含んでなることを特徴としている。
【手続補正１１】
【補正対象書類名】明細書
【補正対象項目名】００２１
【補正方法】変更
【補正の内容】
【００２１】
請求項４に記載の発明によれば、払出機構を構成するための必要最小限の最適な構成要件を示しており、球の払出通路を所謂メカ的に開閉する構造となっている。
【手続補正１２】
【補正対象書類名】明細書
【補正対象項目名】００２４
【補正方法】変更
【補正の内容】
【００２４】
請求項５に記載の発明は、請求項１乃至請求項４の何れか１項記載の発明において、前記バックアップ手段が、通電中に電力を蓄積する蓄積手段で構成され、前記停電時に前記蓄積手段に蓄積された電力が放電され、バックアップ電源として適用される、ことを特徴としている。
【手続補正１３】
【補正対象書類名】明細書
【補正対象項目名】００２５
【補正方法】変更
【補正の内容】
【００２５】
請求項５の発明によれば、商用電源をそのまま用いている場合、電力会社等による復旧作業に頼るしかないことが、通電中に電力を蓄積する蓄積手段で構成されたバックアップ手段をパチンコ機内部に備えることで、遊戯者が不利益を被ることが改善される。
【手続補正１４】
【補正対象書類名】明細書
【補正対象項目名】００２６
【補正方法】変更
【補正の内容】
【００２６】
請求項６に記載の発明は、請求項５に記載の発明において、遊技機の制御装置が前記蓄積手段による電力の放電量を規定する規定手段を備えたことを特徴としている。
【手続補正１５】
【補正対象書類名】明細書
【補正対象項目名】００２７
【補正方法】変更
【補正の内容】
【００２７】
請求項６の発明によれば、払出制御部のＲＡＭの保持電流を無視できる程度の大きな放電量になるように、電力の放電量を規定することで、バックアップ時間の算出を容易にしている。
【手続補正１６】
【補正対象書類名】明細書
【補正対象項目名】００２８
【補正方法】変更
【補正の内容】
【００２８】
請求項７に記載の発明は、請求項６に記載の発明において、前記規定手段が放電抵抗であることを特徴としている。
【手続補正１７】
【補正対象書類名】明細書
【補正対象項目名】００２９
【補正方法】変更
【補正の内容】
【００２９】
請求項７の発明によれば、払出制御部のＲＡＭの保持電流を無視できる程度の大きな放電電流値になるように、放電抵抗を設定することで、バックアップ時間の算出を容易にしているばかりでなく、また、バックアップを強制的に解除させる用途で放電抵抗を使用することもできる。
【手続補正１８】
【補正対象書類名】明細書
【補正対象項目名】００３０
【補正方法】変更
【補正の内容】
【００３０】
請求項８に記載の発明は、請求項１乃至請求項７の何れか１項記載の発明において、前記バックアップ手段が前記停電発生後の停電時間を計数する停電時間計数手段と、前記停電時間計数手段で停電発生から所定時間経過したことを認識した場合に、前記バックアップ電源の供給を停止するバックアップ電源供給停止手段と、を更に有することを特徴としている。
【手続補正１９】
【補正対象書類名】明細書
【補正対象項目名】００３１
【補正方法】変更
【補正の内容】
【００３１】
請求項８の発明によれば、停電時間検出手段の検出結果に基づいてバックアップ電源から遊技機の制御回路への電力供給を遮断することにより、停電時において、バックアップ電源の電力供給可能時間の精度を向上させることが可能となる。
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００８１
【補正方法】変更
【補正の内容】
【００８１】
以下に、上記実施の形態で説明した賞球払出機構並びにその制御システムが搭載された、パチンコ機の制御システムの好適な実施例を説明する。
（第１の実施例）
図４には、第１の実施例に係るパチンコ機の制御装置が示されている。
（電源制御装置の全体概略構成）
遊技機の制御装置は、パチンコ店の島側に設けられた電源（２４Ｖ，５０／６０Ｈｚ）が供給される電源モジュールとしての電源基板１２と、後述するパチンコ機の各機能の全般を制御するための主制御基板１４と、パチンコ機に使用されるパチンコ球の入賞時の払い出し、並びに金銭等に代えてパチンコ球を貸与するための貸し出しを制御するための払出制御基板１６と、払出制御基板１６のもとで機能する発射制御基板２４と、で構成されている。また、前記主制御基板１４のもとで機能する図柄制御基板１８、音声制御基板２０、ランプ制御基板２２と、が設けられている。なお、主制御基板１４のもとで機能する制御基板は、前記の如く３つに分割されていることに限定されるものではなく、遊技機の構成に応じて統廃合されてもよい。
【手続補正３２】
【補正対象書類名】明細書
【補正対象項目名】符号の説明
【補正方法】変更
【補正の内容】
【符号の説明】
１０ 制御装置
１２ 電源基板（電源モジュール）
１４ 主制御基板
１６ 払出制御基板
２６ 中継基板
４２Ａ バックアップエリア
５６ 入賞検出スイッチ
８６Ｃ 賞球払出済球検出スイッチ
１４２Ａ バックアップエリア
２０９ 過電流保護回路
２１０ 全波整流回路
２１８ 過電流保護回路
２２０ 平滑回路
２２２ ＤＣ１２Ｖ−Ａレギュレータ
２２３ ＤＣ１２Ｖ−Ｂレギュレータ
２２４ ＤＣ５Ｖレギュレータ
２２６ 第１電源断検出回路
２２７ 第２電源断回路検出回路
２２９ 遅延回路
２３０ 電気二重層コンデンサ
２３２ 放電抵抗
３００ パチンコ球
３０２ 払出機構部
３０６ 入賞口
３０８ 各入賞検出スイッチ
３１０ 賞球制御装置
３１２ 入賞球演算部
３１４ 賞球払出残数計数部
３１４ 前記賞球払出残数計数部
３１６ メモリ
３１８ 賞球払出指示部
３２０Ａ ロッド
３２０ 賞球ソレノイド
３２２ 賞球ソレノイドコントローラ
３２４ 払出球案内路
３２６ 貫通孔
３３０ ストッパ部材
３４２ 賞球払出済球検出スイッチ
３４４ 賞球払出登録部
３４６ バックアアップ部
５００ DC５Vレギュレータ
５０２ 停電時間検出手段
５０４ 遮断手段
５１０ ショットキーダイオード
５１２ 電気二重層コンデンサ
５１４ タイマIC
５１６ コンデンサ
５１８ 抵抗
５２０ 抵抗
５２２ NPNトランジスタ
５２４ 抵抗
５２６ 抵抗
５２８ ＰＮＰトランジスタ
５３０ 抵抗
５４０ 放電抵抗
５４２ コンパレータ
５４４ 抵抗
５４６ 抵抗